(57)【要約】【解決手段】居住者宅に係る緊急を要するイベント情報を受信すると、前記居住者宅の宅内又は宅外の様子を監視するための撮影装置で撮影される映像情報を取得する取得装置と、サーバ装置が、前記イベント情報及び前記映像情報を格納するとともに、前記イベント情報及び前記映像情報を含むメール情報を事前に登録されている携帯端末に送信するように、前記イベント情報及び前記映像情報を対応付けて前記サーバ装置に送信する送信装置と、を備えるイベント情報提供装置である。
2016194160.tif 000002
【特許請求の範囲】
【請求項１】
居住者宅に係る緊急を要するイベント情報を受信すると、前記居住者宅の宅内又は宅外の様子を監視するための撮影装置で撮影される映像情報を取得する取得装置と、
サーバ装置が、前記イベント情報及び前記映像情報を格納するとともに、前記イベント情報及び前記映像情報を含むメール情報を事前に登録されている携帯端末に送信するように、前記イベント情報及び前記映像情報を対応付けて前記サーバ装置に送信する送信装置と、
を備えたことを特徴とするイベント情報提供装置。
【請求項２】
居住者宅に係る緊急を要するイベント情報を受信すると、前記居住者宅の宅内又は宅外の様子を監視するための撮影装置で撮影される映像情報を取得し、
サーバ装置が、前記イベント情報及び前記映像情報を格納するとともに、前記イベント情報及び前記映像情報を含むメール情報を事前に登録されている携帯端末に送信するように、前記イベント情報及び前記映像情報を対応付けて前記サーバ装置に送信する
ことを特徴とするイベント情報提供方法。
【請求項３】
コンピュータに、
居住者宅に係る緊急を要するイベント情報を受信すると、前記居住者宅の宅内又は宅外の様子を監視するための撮影装置で撮影される映像情報を取得する機能と、
サーバ装置が、前記イベント情報及び前記映像情報を格納するとともに、前記イベント情報及び前記映像情報を含むメール情報を事前に登録されている携帯端末に送信するように、前記イベント情報及び前記映像情報を対応付けて前記サーバ装置に送信する機能と、
を実行させるプログラム。
【請求項４】
居住者宅に係る緊急を要するイベント情報を受信すると、前記居住者宅の宅内又は宅外の様子を監視するための撮影装置で撮影される映像情報を取得する取得装置と、
前記イベント情報及び前記映像情報を対応付けて送信する送信装置と、
前記送信装置から送信される前記イベント情報及び前記映像情報を格納し、前記イベント情報及び前記映像情報を含むメール情報を事前に登録されている第１携帯端末に送信するサーバ装置と、
を備えたことを特徴とするイベント情報提供システム。
【請求項５】
前記サーバ装置は、前記イベント情報の重要度を判定し、前記イベント情報の重要度が一定レベル以上である場合、前記メール情報を前記第１携帯端末に送信する
ことを特徴とする請求項４に記載のイベント情報提供システム。
【請求項６】
前記サーバ装置は、前記イベント情報の重要度が前記一定レベル以上である場合、前記メール情報を前記第１携帯端末以外の事前に登録されている第２携帯端末には送信しない
ことを特徴とする請求項５に記載のイベント情報提供システム。
【請求項７】
前記サーバ装置は、前記イベント情報の重要度が前記一定レベル以上である場合、前記第２携帯端末に対して、前記イベント情報及び前記映像情報を参照することを許可する
ことを特徴とする請求項６に記載のイベント情報提供システム。
【請求項８】
前記サーバ装置は、前記送信装置から前記イベント情報及び前記映像情報が送信される都度、前記イベント情報のカテゴリーを判定し、前記イベント情報に重要度を示す情報を付与する
ことを特徴とする請求項４乃至請求項７の何れか一項に記載のイベント情報提供システム。
【請求項９】
前記イベント情報は、避難情報、火災情報、防犯情報の何れかである
ことを特徴とする請求項４乃至請求項８の何れか一項に記載のイベント情報提供システム。
【請求項１０】
前記避難情報は、前記居住者宅の外部から発信される情報であり、
前記火災情報及び前記防犯情報は、前記居住者宅の内部に設置される機器から発信される情報である
ことを特徴とする請求項９に記載のイベント情報提供システム。
【発明の詳細な説明】
【技術分野】
【０００１】
本発明は、イベント情報提供装置、イベント情報提供方法、プログラム、イベント情報提供システムに関する。
【背景技術】
【０００２】
例えば、居住者宅内に設置された防犯・防災用の各種センサからのモニタ情報を収集し、居住者宅内の異常が検出された場合に携帯端末に緊急通報を行う技術が知られている（例えば特許文献１）。
【先行技術文献】
【特許文献】
【０００３】
【特許文献１】特開２００６−４８１７４号公報
【発明の概要】
【発明が解決しようとする課題】
【０００４】
しかし、上記の特許文献１の場合、携帯端末に緊急通報が行われた時点では、居住者は居住者宅の様子を具体的に把握することができないため、緊急通報が解消されるような必要とされる行動を速やかに実行できず、居住者が人的損害を被る虞や居住者宅が物的損害を被る虞がある。【０００５】
そこで、本発明は、居住者宅に係る緊急を要するイベント情報が発生した場合、居住者が居住者宅の様子を速やかに判断して必要とされる行動を速やかに実行できるようにするイベント情報提供装置、イベント情報提供方法、プログラム、イベント情報提供システムを提供することを目的とする。
【課題を解決するための手段】
【０００６】
前述した課題を解決する主たる本発明は、イベント情報提供装置であって、居住者宅に係る緊急を要するイベント情報を受信すると、前記居住者宅の宅内又は宅外の様子を監視するための撮影装置で撮影される映像情報を取得する取得装置と、サーバ装置が、前記イベント情報及び前記映像情報を格納するとともに、前記イベント情報及び前記映像情報を含むメール情報を事前に登録されている携帯端末に送信するように、前記イベント情報及び前記映像情報を対応付けて前記サーバ装置に送信する送信装置と、を備える。【０００７】
本発明の他の特徴については、添付図面及び本明細書の記載により明らかとなる。
【発明の効果】
【０００８】
本発明によれば、避難情報、火災情報、防犯情報等の居住者宅に係る緊急を要するイベント情報が発生した場合、居住者宅の宅内や宅外等の様子を示す映像情報がイベント情報とともに居住者の携帯端末に送信される。従って、居住者が就寝中又は外出中であったとしても、居住者は、居住者宅の宅内や宅外等の様子を速やかに判断し、必要とされる行動を速やかに実行し、居住者及び居住者宅の安全性を向上させることが可能になる。
【図面の簡単な説明】
【０００９】
【図１】本実施形態に係るイベント情報提供システムを示すブロック図である。
【図２】本実施形態に係るイベント情報提供システムにおいて、第２サーバ装置の機能を実現するために事前に設定される第１参照情報を示す図である。
【図３】本実施形態に係るイベント情報提供システムにおいて、第２サーバ装置の機能を実現するために事前に設定される第２参照情報を示す図である。
【図４】本実施形態に係るイベント情報提供システムにおいて、第２サーバ装置で生成される第３参照情報を示す図である。
【図５】本実施形態に係るイベント情報提供システムの動作を示すフローチャートである。
【発明を実施するための形態】
【００１０】
本明細書および添付図面の記載により、少なくとも以下の事項が明らかとなる。
＝＝＝イベント情報提供システムの構成＝＝＝
図１は、本実施形態に係るイベント情報提供システムを示すブロック図である。図２は、本実施形態に係るイベント情報提供システムにおいて、第２サーバ装置の機能を実現するために事前に設定される第１参照情報を示す図である。尚、第１参照情報は、イベント情報のためのカテゴリー、イベント情報のための重要度、イベント情報の配信の要否を示す情報が対応付けられた情報である。図３は、本実施形態に係るイベント情報提供システムにおいて、第２サーバ装置の機能を実現するために事前に設定される第２参照情報を示す図である。尚、第２参照情報は、携帯端末のＩＤ、携帯端末の利用者の名前、居住者との関係、イベント情報の配信・参照の可否を示す情報が対応付けられた情報である。図４は、本実施形態に係るイベント情報提供システムにおいて、第２サーバ装置で生成される第３参照情報を示す図である。尚、第３参照情報は、イベント情報のための重要度、イベント情報の受信日時、イベント情報、イベント情報の配信・参照が可能な携帯端末のＩＤが対応付けられた情報である。以下、図１乃至図４を参照してイベント情報提供システムの構成について説明する。
【００１１】
イベント情報提供システム１は、避難情報、火災情報、防犯情報等の居住者宅に係る緊急を要するイベント情報が発生した場合、イベント情報提供システム１に事前に登録されている居住者や当該居住者の関係者の携帯端末１４に対して、居住者宅６の宅内や宅外の様子を示す映像情報及びイベント情報が含まれるメール情報を送信し、居住者や当該居住者の関係者に対して避難情報、火災情報、防犯情報等の内容に応じて必要とされる行動を速やかに促すことを可能にするシステムである。尚、携帯端末１４は、携帯可能なパソコンやスマートフォン等のメール受信機能を有する端末である。
【００１２】
イベント情報提供システム１は、ゲートウェイ装置２（取得装置、送信装置）と、第１サーバ装置３と、第２サーバ装置４とを含んで構成されている。ゲートウェイ装置２は、コンピュータネットワーク５（例えばクラウドコンピューティング）を介して第１サーバ装置３及び第２サーバ装置４と通信可能に接続されている。
【００１３】
ゲートウェイ装置２は、例えば、居住者宅６における電力の消費と発電・蓄電設備とをリアルタイムで統合的に管理し、快適さを保ちつつ節電を行うＨＥＭＳ（home energy management system）の機能を実現する装置であって、居住者宅６内に設置されている。ゲートウェイ装置２で集約するべき情報を発信する機器として、居住者宅６内には、例えば、火災検知器７、インターホン機器８、固定電話機９、テレビや冷蔵庫等の家電機器１０、玄関ドアや窓等の開閉を検知する防犯機器１１、撮影機器１２（撮影装置）等が設置され、居住者宅６外には、撮影機器１３（撮影装置）が設置されている。火災検知器７は、居住者宅６に火災が発生しているか否かを検知し、居住者宅６に火災が発生している場合、居住者宅６に係る緊急を要するイベント情報として、火災情報を発信する機能を有する。インターホン機器８は、訪問者がインターホン機器８自体に設けられているボタン８Ａを押下した場合、訪問者情報を発信する機能を有する。固定電話機９は、着信情報を発信する機能を有する。家電機器１０は、動作状況を示す動作情報を発信する機能を有する。防犯機器１１は、居住者宅６が「留守」であることを示すモードに設定された状態において、居住者宅６の玄関ドアや窓が開放された場合、居住者宅６に係る緊急を要するイベント情報として、第三者が居住者宅６に侵入した虞があることを示す防犯情報を発信する機能を有する。撮影機器１２は、カメラを通して撮影される居住者宅６の宅内の様子を示す映像情報を発信する機能を有する。撮影機器１３は、カメラを通して撮影される居住者宅６の周辺の様子を示す映像情報を発信する機能を有する。ゲートウェイ装置２は、上記の火災情報、訪問者情報、着信情報、家電機器１０の動作情報、防犯情報、居住者宅６内外の映像情報を受信し、コンピュータネットワーク５を介して上記のイベント情報を第２サーバ装置４に送信する。
【００１４】
第１サーバ装置３は、例えば自然災害に関する情報を専門に取り扱う機関や地域の自治体等が管理する装置であって、避難を必要とする一定規模以上の自然災害が発生した場合、居住者宅６に係る緊急を要するイベント情報として、自然災害の種類及び規模を示す避難情報を発信する機能を有する。尚、災害情報としては、例えば大雨に伴う土砂災害に関する情報が考えられる。ゲートウェイ装置２は、上記の火災情報、訪問者情報、着信情報、家電機器１０の動作情報、防犯情報、居住者宅６内外の映像情報の他に、上記の避難情報も合わせて受信し、コンピュータネットワーク５を介して上記のイベント情報を第２サーバ装置４に送信する。
【００１５】
第２サーバ装置４は、ゲートウェイ装置２から上記のイベント情報を受信すると、夫々のイベント情報が属するべきカテゴリーを判定し、夫々のイベント情報にカテゴリー別の重要度を示す情報Ａ〜Ｃを対応付ける。そして、第２サーバ装置４は、重要度を示す情報Ａ〜Ｃに応じて、イベント情報提供システム１に事前に登録されている居住者や当該居住者の関係者の携帯端末１４に対するイベント情報の提供方法を決定する。本実施形態において、情報Ａ〜Ｃの重要度は、Ａ，Ｂ，Ｃの順に低くなることとする。つまり、情報Ａの重要度が最も高いことになる。
【００１６】
第２サーバ装置４が受信するイベント情報の発信元は、例えば「警報機器」、「インターホン機器」、「防犯機器」、「固定電話機」、「家電機器」の５種類のカテゴリーに大別される。すると、避難情報及び火災情報は「警報機器」のカテゴリーに分類され、訪問者情報は「インターホン機器」のカテゴリーに分類され、着信情報は「固定電話機」のカテゴリーに分類され、家電機器１０の動作情報は「家電機器」のカテゴリーに分類され、防犯情報及び居住者宅６内外の映像情報は「防犯機器」のカテゴリーに分類されることになる。第２サーバ装置４は、第１参照情報１００（図２）が格納される第１記憶部４Ａを有する。本実施形態において、第１参照情報１００は、５種類のカテゴリーに対して、３種類の重要度及び２種類の配信の有無を示す情報が対応付けられた情報である。例えば、カテゴリー「警報機器」、「インターホン機器」、「防犯機器」の夫々は重要度「Ａ」及び配信「要」に設定され、カテゴリー「固定電話機」は重要度「Ｂ」及び配信「否」に設定され、カテゴリー「家電機器」は重要度「Ｃ」及び配信「否」に設定される。
【００１７】
第２サーバ装置４は、第２参照情報２００（図３）が格納される第２記憶部４Ｂを有する。本実施形態において、第２参照情報２００は、３人の携帯端末１４（１４Ａ〜１４Ｃ）のＩＤに対して、携帯端末１４の利用者の名前、居住者との関係、イベント情報の配信・参照の可否を示す情報が対応付けられた情報である。例えば、ＩＤ「１」は、名前「○○○○」、関係「本人」、配信・参照「配信可（重要度Ａ）、参照可（重要度Ａ，Ｂ，Ｃ）」に設定される。ＩＤ「２」は、名前「△△△△」、関係「親戚」、配信・参照「配信不可、参照可（重要度Ａ）」に設定される。ＩＤ「３」は、名前「□□□□」、関係「友人」、配信・参照「配信不可、参照可（重要度Ａ）」に設定される。
【００１８】
先ず、第２サーバ装置４は、ゲートウェイ装置２からイベント情報を受信すると、イベント情報に含まれる発信元を特定するための情報から、イベント情報が如何なるカテゴリーに属するのかを判定する。次に、第２サーバ装置４は、第１記憶部４Ａ内の第１参照情報１００を参照し、イベント情報に対して該当するカテゴリーの重要度を対応付ける。例えば、第２サーバ装置４は、イベント情報として訪問者情報を受信すると、訪問者情報のカテゴリーを「インターホン機器」と判定し、訪問者情報に対して重要度「Ａ」を対応付ける。次に、第２サーバ装置４は、第２記憶部４Ｂ内の第２参照情報２００を参照し、イベント情報に対して配信・参照の可否を示す情報を対応付ける。例えば、第２サーバ装置４は、重要度「Ａ」の訪問者情報に対して、配信可能な携帯端末としてＩＤ「１」を対応付け、参照可能な携帯端末としてＩＤ「１〜３」を対応付ける。このように、第２サーバ装置４は、第１参照情報１００及び第２参照情報２００を基にして、第３参照情報３００（図４）を生成する。第２サーバ装置４は、第３参照情報３００が格納される第３記憶部４Ｃを有する。尚、第１記憶部４Ａ、第２記憶部４Ｂ、第３記憶部４Ｃは、個別の記憶装置であってもよいが、夫々の記憶領域を有する共通の記憶装置であってもよい、
第２サーバ装置４は、第３記憶部４Ｃ内の第３参照情報３００が更新される都度、第３参照情報３００内の更新後の新たなイベント情報を、配信可能な携帯端末１４に配信するとともに、参照可能な携帯端末１４による参照を許可する。例えば、第２サーバ装置４は、新たなイベント情報として訪問者情報を受信し、訪問者情報を含む第３参照情報３００を第３記憶部４Ｃに格納すると、訪問者情報を含むメール情報を、携帯端末１４Ａに送信するとともに、携帯端末１４Ａ〜１４Ｃによる参照を許可する。
＝＝＝イベント情報提供システムの動作＝＝＝
図５は、本実施形態に係るイベント情報提供システムの動作を示すフローチャートである。尚、図５の動作の主体は、第２サーバ装置４である。以下、図１乃至図５を参照してイベント情報提供システムの動作について説明する。
【００１９】
先ず、第２サーバ装置４は、コンピュータネットワーク５を介してゲートウェイ装置２からイベント情報を受信したか否かを判別する（ステップＳ１）。第２サーバ装置４は、ゲートウェイ装置２からイベント情報を受信していない場合（ステップＳ１：ＮＯ）、ステップＳ１の判別動作を繰り返す。一方、第２サーバ装置４は、ゲートウェイ装置２からイベント情報を受信した場合（ステップＳ１：ＹＥＳ）、イベント情報に含まれる発信元を特定するための情報に基づいて、イベント情報が「警報機器」、「インターホン機器」、「防犯機器」、「固定電話機」、「家電機器」の何れのカテゴリーに属するのかを判定する（ステップＳ２）。
【００２０】
次に、第２サーバ装置４は、第１記憶部４Ａに格納されている第１参照情報１００を参照し、イベント情報に対して該当する重要度を対応付ける（ステップＳ３）。例えば、イベント情報が訪問者情報である場合、第２サーバ装置４は、訪問者情報に対して「インターホン機器」の重要度「Ａ」を対応付ける。
【００２１】
次に、第２サーバ装置４は、第２記憶部４Ｂに格納されている第２参照情報２００を参照し、イベント情報に対して、配信可能な携帯端末１４のＩＤ及び参照可能な携帯端末１４のＩＤを対応付ける（ステップＳ４）。例えば、イベント情報が訪問者情報である場合、第２サーバ装置４は、訪問者情報に対して、配信可能な携帯端末のＩＤ「１」及び参照可能な携帯端末のＩＤ「１〜３」を対応付ける。このように、第２サーバ装置４は、イベント情報を受信すると、第１参照情報１００及び第２参照情報２００を基にして第３参照情報３００を構成する新たな情報を生成する。尚、第２サーバ装置４は、複数のイベント情報を受信した場合、複数のイベント情報を受信した時刻の順に、新たな情報を順次生成する。
【００２２】
次に、第２サーバ装置４は、第３参照情報３００に対して一組以上の新たな情報を追加し、第３参照情報３００を更新して第３記憶部４Ｃに格納する（ステップＳ５）。
【００２３】
次に、第２サーバ装置４は、第３記憶部４Ｃに格納されている第３参照情報３００の中から更新情報（新たな情報）を抽出する（ステップＳ６）。
【００２４】
次に、第２サーバ装置４は、第３参照情報３００の中から抽出された更新情報に対応付けられているイベント情報の重要度を示す情報、イベント情報の配信・参照の可否を示す情報を確認し、イベント情報提供システム１に事前に登録されている居住者又は当該居住者の関係者の携帯端末１４に対するイベント情報の提供方法を決定する（ステップＳ７）。
【００２５】
次に、第２サーバ装置４は、携帯端末１４に対するイベント情報の提供方法に従って、イベント情報の提供を実行する（ステップＳ８）。例えば、イベント情報が訪問者情報（重要度「Ａ」）である場合、第２サーバ装置２は、携帯端末１４Ａに対して訪問者情報を含むメール情報を送信し、携帯端末１４Ａ〜１４Ｃで訪問者情報を確認できるように、携帯端末１４Ａ〜１４Ｃに対して第３記憶部４Ｃ内の第３参照情報３００の参照を許可する。又、イベント情報が避難情報、火災情報、防犯情報の何れかの情報（重要度「Ａ」）である場合、上記のイベント情報は居住者宅６に係る緊急を要する情報に該当するため、ゲートウェイ装置２は、上記のイベント情報を受信すると、撮影機器１２，１３を起動し、撮影機器１２，１３で撮影される居住者宅６の宅外や宅内の様子を示す映像情報を取得する。そして、ゲートウェイ装置２は、上記のイベント情報及び映像情報を対応付けて第２サーバ装置４に送信する。従って、第２サーバ装置４は、携帯端末１４Ａに対して避難情報、火災情報、防犯情報の何れかの情報及び映像情報を含むメール情報を送信し、携帯端末１４Ａ〜１４Ｃで避難情報、火災情報、防犯情報の何れかの情報及び映像情報を確認できるように、携帯端末１４Ａ〜１４Ｃに対して第３記憶部４Ｃ内の第３参照情報３００の参照を許可する。又、イベント情報が固定電話機９の着信情報（重要度「Ｂ」）である場合、第２サーバ装置２は、携帯端末１４Ａ，１４Ｂで着信情報を確認できるように、携帯端末１４Ａ，１４Ｂに対して第３記憶部４Ｃ内の第３参照情報３００の参照を許可する。又、イベント情報が家電機器１０の動作情報（重要度「Ｃ」）である場合、第２サーバ装置２は、携帯端末１４Ａで着信情報を確認できるように、携帯端末１４Ａに対して第３記憶部４Ｃ内の第３参照情報３００の参照を許可する。
【００２６】
次に、第２サーバ装置４は、携帯端末１４に対するイベント情報の提供が完了すると、ステップＳ１の判別動作から再度繰り返す。
【００２７】
以上説明したように、本実施形態に係るイベント情報提供システム１は、居住者宅６に係る緊急を要するイベント情報（避難情報、火災情報、防犯情報）を受信すると、居住者宅６の宅内や宅外の様子を監視するための撮影機器１２，１３で撮影される映像情報を取得し、イベント情報及び映像情報を対応付けて送信するゲートウェイ装置２と、ゲートウェイ装置２から送信されるイベント情報及び映像情報を格納し、イベント情報及び映像情報を含むメール情報を事前に登録されている居住者の携帯端末１４Ａに送信する第２サーバ装置４と、を含んで構成されている。
【００２８】
本実施形態によれば、避難情報、火災情報、防犯情報等の居住者宅６に係る緊急を要するイベント情報が発生した場合、居住者宅６の宅内や宅外の様子を示す映像情報がイベント情報とともに居住者の携帯端末１４Ａに送信される。従って、居住者が就寝中又は外出中であったとしても、居住者は、居住者宅６の宅外や宅内の様子を速やかに判断し、必要とされる行動を速やかに実行し、居住者及び居住者宅６の安全性を向上させることが可能になる。
【００２９】
又、第２サーバ装置４は、イベント情報の重要度を判定し、イベント情報の重要度が一定レベル以上（「Ａ」）である場合、イベント情報及び映像情報を含むメール情報を居住者の携帯端末１４Ａに送信する。又、第２サーバ装置４は、イベント情報の重要度が一定レベル以上（「Ａ」）である場合、イベント情報及び映像情報を含むメール情報を居住者の携帯端末１４Ａ以外の事前に登録されている親戚や友人の携帯端末１４Ｂ，１４Ｃには送信しない。又、第２サーバ装置４は、イベント情報の重要度が一定レベル以上（「Ａ」）である場合、親戚や友人の携帯端末１４Ｂ，１４Ｃに対して、イベント情報及び映像情報を参照することを許可する。
【００３０】
本実施形態によれば、イベント情報の重要度に応じて、イベント情報提供システム１に事前に登録されている本人、親戚、友人等の携帯端末１４に対するイベント情報の提供方法を決定するため、携帯端末１４に対して必要十分な情報を提供することが可能になる。
【００３１】
又、第２サーバ装置４は、ゲートウェイ装置２からイベント情報及び映像情報が送信される都度、イベント情報のカテゴリーを判定し、イベント情報に重要度を示す情報を対応付ける。
【００３２】
又、避難情報は第１サーバ装置３から発信される情報であり、火災情報は火災検知器７から発信される情報であり、防犯情報はインターホン機器８又は防犯機器１１から発信される情報である。
【００３３】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【００３４】
例えば、ゲートウェイ装置２が居住者宅６に係る緊急を要するイベント情報（避難情報、火災情報、防犯情報）を受信した場合、家電機器１０としてのテレビやパソコン等のディスプレイに避難情報、火災情報、防犯情報を表示させてもよいし、在宅している居住者が避難情報、火災情報、防犯情報の発生を理解できるように、照明機器１５を一定のリズムで点滅させてもよいし、照明機器１５が複数のＬＥＤを配列する機器である場合、個別のＬＥＤの点灯消灯を通して避難情報、火災情報、防犯情報を表示させてもよい。
【符号の説明】
【００３５】
１  イベント情報提供システム
２  ゲートウェイ装置
３  第１サーバ装置
４  第２サーバ装置
４Ａ  第１記憶部
４Ｂ  第２記憶部
４Ｃ  第３記憶部
５  コンピュータネットワーク
６  居住者宅
７  火災検知器
８  インターホン機器
９  固定電話機
１０  家電機器
１１  防犯機器
１２，１３  撮影機器
１４  携帯端末
１５  照明機器
【図１】
2016194160.tif 000003
【図２】
2016194160.tif 000004
【図３】
2016194160.tif 000005
【図４】
2016194160.tif 000006
【図５】
2016194160.tif 000007
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
居住者宅に係る緊急を要するイベント情報を受信すると、前記居住者宅の宅内又は宅外の様子を監視するための撮影装置で撮影される映像情報を取得する取得装置と、
前記イベント情報及び前記映像情報を対応付けて送信する送信装置と、
前記送信装置から送信される前記イベント情報及び前記映像情報を格納し、前記イベント情報及び前記映像情報を含むメール情報を事前に登録されている第１携帯端末に送信するサーバ装置と、
を備え、
前記サーバ装置は、前記イベント情報の重要度を判定し、前記イベント情報の重要度が一定レベル以上である場合、前記メール情報を前記第１携帯端末に送信し、前記メール情報を前記第１携帯端末以外の事前に登録されている第２携帯端末には送信せずに、前記第１及び第２携帯端末に対して、前記イベント情報及び前記映像情報を参照することを許可する
ことを特徴とするイベント情報提供システム。
【請求項２】
前記サーバ装置は、前記送信装置から前記イベント情報及び前記映像情報が送信される都度、前記イベント情報のカテゴリーを判定し、前記イベント情報に重要度を示す情報を付与する
ことを特徴とする請求項１に記載のイベント情報提供システム。
【請求項３】
前記イベント情報は、避難情報、火災情報、防犯情報の何れかである
ことを特徴とする請求項１又は２に記載のイベント情報提供システム。
【請求項４】
前記避難情報は、前記居住者宅の外部から発信される情報であり、
前記火災情報及び前記防犯情報は、前記居住者宅の内部に設置される機器から発信される情報である
ことを特徴とする請求項３に記載のイベント情報提供システム。
【手続補正３】
【補正対象書類名】明細書
【補正対象項目名】０００１
【補正方法】変更
【補正の内容】
【０００１】
本発明は、イベント情報提供システムに関する。
【手続補正４】
【補正対象書類名】明細書
【補正対象項目名】０００５
【補正方法】変更
【補正の内容】
【０００５】
そこで、本発明は、居住者宅に係る緊急を要するイベント情報が発生した場合、居住者が居住者宅の様子を速やかに判断して必要とされる行動を速やかに実行できるようにするイベント情報提供システムを提供することを目的とする。
【手続補正５】
【補正対象書類名】明細書
【補正対象項目名】０００６
【補正方法】変更
【補正の内容】
【０００６】
前述した課題を解決する主たる本発明は、イベント情報提供システムであって、居住者宅に係る緊急を要するイベント情報を受信すると、前記居住者宅の宅内又は宅外の様子を監視するための撮影装置で撮影される映像情報を取得する取得装置と、前記イベント情報及び前記映像情報を対応付けて送信する送信装置と、前記送信装置から送信される前記イベント情報及び前記映像情報を格納し、前記イベント情報及び前記映像情報を含むメール情報を事前に登録されている第１携帯端末に送信するサーバ装置と、を備え、
前記サーバ装置は、前記イベント情報の重要度を判定し、前記イベント情報の重要度が一定レベル以上である場合、前記メール情報を前記第１携帯端末に送信し、前記メール情報を前記第１携帯端末以外の事前に登録されている第２携帯端末には送信せずに、前記第１及び第２携帯端末に対して、前記イベント情報及び前記映像情報を参照することを許可する。
【国際調査報告】
2016194160.tif 000008
2016194160.tif 000009